(57)【要約】【課題】ルーズリーフノートの表面を平らにし、正しく重ね、使用時にも書きやすいルーズリーフバインダー構造を提供する。【解決手段】多数の鉤体１１を具えた接合ユニット１を含み、各鉤体１１は、少なくとも１つの第一折曲板１１１、第一折曲板１１１と相対する第二折曲板１１２、及び第一折曲板１１１、第二折曲板１１２を連接する円弧形板１１３から構成される。更に各円弧形板１１３は、第二折曲板１１２に近い適当な箇所に各鉤体を連接する連接部を具える。更に二つの側面に案内レール２４を具える停止ユニット２は、停止ユニット２によって案内レール２４と第一折曲板１１１、第二折曲板１１２により可動結合する。接合ユニット１の各鉤体をルーズリーフノート紙に差し込み、必要な綴じ表紙をそれぞれ第一折曲板１１１、第二折曲板１１２及び停止ユニットの間に挟持設置する。して一ルーズリーフノートを構成し、接合ユニット１を隠す。【選択図】図４
0003139474.tif 000002
【実用新案登録請求の範囲】
【請求項１】
ルーズリーフバインダー構造において、
多数鉤体を具え、各鉤体は少なくとも１つの第一折曲板、第一折曲板と相対する一第二折曲板、及び第一折曲板、第二折曲板に連接する円弧形板から構成され、且つ各円弧形板の第二折曲板に近い適当な箇所に各鉤体を連接する連接部を具える接合ユニットと、
２つの側面にそれぞれ第一折曲板、第二折曲板と可動結合する案内レールを具える一停止ユニットを含むことを特徴とするルーズリーフバインダー構造。
【請求項２】
前記各第一折曲板、第二折曲板は、その表面上に必要に応じて一弧面部を設置することを特徴とする請求項１に記載のルーズリーフバインダー構造。
【請求項３】
前記各第一折曲板、第二折曲板は、同一平面上に設置することを特徴とする請求項１に記載のルーズリーフバインダー構造。
【請求項４】
前記停止ユニットは、最上板、最上板と対応する底板、及び最上板、底板間に設置する仕切板から構成され、最上板、底板の間に２つの案内レールを形成することを特徴とする請求項１に記載のルーズリーフバインダー構造。
【考案の詳細な説明】
【技術分野】
【０００１】
本考案は、ルーズリーフバインダー構造に関するもので、ルーズリーフノートの表面を平らにし、正しく重ね、使用時に書きやすいものである。
【背景技術】
【０００２】
一般公知のルーズリーフバインダーは。図１及び図２に示すとおり、複数個の並列の湾曲鉤５を含み、各湾曲鉤５の一端は直板６で連接され、湾曲鉤５の別一端及び直板６上に一停止板７を滑らせて設置する。ルーズリーフノート紙３及びその二側の綴じ表紙４、４ａを各湾曲鉤５上に差し込んで設置し、停止板７は、湾曲鉤５の一端及び直板６上に滑らせて設置することにより、ルーズリーフノート紙３と綴じ表紙４、４ａをスピーディ且つ便利に取り外すルーズリーフノート（図３参照）を構成する。
【０００３】
上述公知のルーズリーフバインダーは、湾曲鉤５に直板６及び停止板７を合わせて，ルーズリーフノート紙３と綴じ表紙４、４ａのルーズリーフノートをスピーディ且つ便利に取り外す構造であるが、ルーズリーフノート紙３と綴じ表紙４、４ａを各湾曲鉤５上に差し込んでルーズリーフノートとして構成された後、各湾曲鉤５の側縁は一定の体積及び弧度により、ルーズリーフノートの綴じ表紙４、４ａが露出し、ルーズリーフノートは弧凸の側面が形成される。
【考案の開示】
【考案が解決しようとする課題】
【０００４】
解決しようとする問題点は、ルーズリーフノートを置くか、もしくは重ねた時、この湾曲鉤５の側縁と置いた平面、もしくは二ルーズリーフノートの間には弧凸の側面により隙間が発生し、正しく置くことができない。更に使用者がルーズリーフノートをカバン内に入れると、外に露出した湾曲鉤５側縁が他の物品を引っ掛けてしまい、ルーズリーフノートを取り出すときに不便を感じる点である。
【課題を解決するための手段】
【０００５】
本考案は、多数の鉤体を具えた接合ユニットを含み、各鉤体は少なくとも一第一折曲板、第一折曲板と相対する一第二折曲板、及び第一、二折曲板を連接する円弧形板から構成される。更に各円弧形板は第二折曲板に近い適当な箇所に各鉤体を連接する連接部を具える。更に二側に一案内レールを具える停止ユニットは、停止ユニットによって案内レールと第一、二折曲板により可動結合する。接合ユニットの各鉤体をルーズリーフノート紙に差し込み、必要な綴じ表紙をそれぞれ第一、二折曲板及び停止ユニットの間に挟持設置して一ルーズリーフノートを構成し、接合ユニットを隠すことを最も主要な特徴とする。
【考案の効果】
【０００６】
本考案のルーズリーフバインダー構造は、ルーズリーフノートの表面を平らにし、正しく重ね、使用時に書きやすいという利点がある。
【考案を実施するための最良の形態】
【０００７】
本考案の主な目的は、接合ユニットの各鉤体にルーズリーフノート紙を差し込み、必要に応じて綴じ表紙をそれぞれ第一、二折曲板及び停止ユニットの間に挟持設置し、一ルーズリーフノートを構成する。接合ユニットを隠すことにより、ルーズリーフノートが平らな表面となり、正しく重ね、ルーズリーフノートに書き込む時には平らであるため、書きやすい。
【０００８】
上述の目的のため、本考案の一種のルーズリーフバインダー結構は、多数の鉤体を具えた一接合ユニットを含む。各鉤体は少なくとも一第一折曲板、第一折曲板と相対する一第二折曲板、及び第一、二折曲板を連接する一円弧形板から構成される。更に各円弧形板には第二折曲板に近い適当な箇所に各鉤体を連接する連接部を具える。また二側にそれぞれ一案内レールを具えた停止ユニットは、停止ユニットによって案内レールと第一、二折曲板を可動結合する。
【０００９】
〔実施例１〕
図４及び図５に示すのは、本考案の立体分解指示図及び本考案の立体外観指示図である。図に示すのは本考案の一種のルーズリーフバインダー構造で、一接合ユニット１及び一停止ユニット２から構成される，
上述に示す接合ユニット１は、多数の鉤体１１を具え、各鉤体１１は少なくとも一第一折曲板１１１、第一折曲板１１１と相対し且つ同一平面上に位置する一第二折曲板１１２、及び第一、二折曲板１１１、１１２を連接する円弧形板１１３から構成される。更に各円弧形板１１３には第二折曲板１１２に近い適当な箇所に各鉤体１１に連接する連接部１２を具える。そのうち、各第一、第二折曲板１１１、１１２の表面上には必要に応じて一弧面部１１４を設置する。
【００１０】
停止ユニット２は、一最上板２１、最上板２１と対応する一底板２２、及び最上板、底板２１、２２間に設置する仕切板２３から構成され、最上板、底板２１、２２の間には二案内レール２４を成形する。また各案内レール２４はそれぞれ第一、二折曲板１１１、１１２と可動結合する。このようにして上述の構造は一新しいルーズリーフバインダー構造を形成することにより、構造が簡単で製造しやすい効果を具える。
【００１１】
図６、図７及び図８に示すのは、本考案の組立状態指示図、本考案組立後の立体外観指示図及び本考案組立後の断面状態指示図である。図に示すとおり、本考案を使用する場合、多数枚のルーズリーフノート紙３のその一側の各穿孔３１を接合ユニット１の各鉤体１１の第一折曲板１１１に対応させて差し込み、ルーズリーフノート紙３の各穿孔３１を各鉤体１１の円弧形板１１３上に掛合設置する。その後、続いて必要に応じて二綴じ表紙４、４ａ一側の各穿孔４１、４１ａをそれぞれ第一、二折曲板１１１、１１２の周縁に対応させ、同時に停止ユニット２二側の案内レール２４をそれぞれ第一、二折曲板１１１、１１２に相対する端縁に滑らせて設置し、二綴じ表紙４、４ａの一側及び第一、二折曲板１１１、１１２をそれぞれ停止ユニット２二側の案内レール２４と嵌合接合する。一第一折曲板１１１（もしくは第二折曲板１１２）表面の弧面部１１４と案内レール２４の間が相互に干渉しあい、また停止ユニット２が接合ユニット１上で安定して嵌合され、一ルーズリーフノートが構成される。各綴じ表紙４、４ａがルーズリーフノート紙３の方向に向かって閉じた時、接合ユニット１上の各鉤体１１は二側の綴じ表紙４、４ａで隠され、各鉤体１１露出しないので、ルーズリーフノートは平らな表面になり、正しく重ねることができ、更にルーズリーフ紙を使用するときにも平らになるので書きやすい。
【００１２】
図９に示すのは、本考案の別の組立状態の断面指示図である。図に示すとおり、本考案を使用する場合、一綴じ表紙４ａとルーズリーフノート紙３を各鉤体１１上に掛けて設置する。一綴じ表紙の一側を第一折曲板１１１の周縁に対応させ、停止ユニット２二側の案内レール２４を第一、二折曲板１１１、１１２上に嵌合させただけで、綴じ表紙４が各鉤体１１の一側を隠すので、実際使用時の要求に応えることができる。
【００１３】
上述の通り、本考案のルーズリーフバインダー構造は、公知の数々の欠点を有効に改善し、接合ユニットの各鉤体をルーズリーフノート紙に差し込み、必要に応じて綴じ表紙をそれぞれ第一、二折曲板及び停止ユニットの間に挟持設置することにより、一ルーズリーフノートを構成し、接合ユニットを隠し、ルーズリーフノートを平らな表面にし、更には正しく重ねることができる。また、ルーズリーフのページを使用するのに、平らなので、書くのに便利であるという効果がある。進歩的、実用的であることから、実用新案登録に符合するため、申請する。
【図面の簡単な説明】
【００１４】
【図１】公知の立体分解指示図である。
【図２】公知の立体外観指示図である。
【図３】公知組立後の立体外観指示図である。
【図４】本考案の立体分解指示図である。
【図５】本考案の立体外観指示図である。
【図６】本考案の組立状態指示図である。
【図７】本考案の組立後の立体外観指示図である。
【図８】本考案の組立後の断面状態指示図である。
【図９】本考案の別の一組立状態の断面指示図である。
【符号の説明】
【００１５】
１  接合ユニット
２  停止ユニット
３  ルーズリーフノート紙
４  綴じ表紙
４ａ  綴じ表紙
１１  鉤体
１２  連接部
２１  最上板
２２  底板
２３  仕切板
２４  案内レール
３１  穿孔
４１  穿孔
４１ａ  穿孔
１１１  第一折曲板
１１２  第二折曲板
１１３  円弧形板
１１４  弧面部
【図１】
0003139474.tif 000003
【図２】
0003139474.tif 000004
【図３】
0003139474.tif 000005
【図４】
0003139474.tif 000006
【図５】
0003139474.tif 000007
【図６】
0003139474.tif 000008
【図７】
0003139474.tif 000009
【図８】
0003139474.tif 000010
【図９】
0003139474.tif 000011